(57)【要約】【課題】確実な継線を行うと共に、実装不良を低減したコイル部品の提供。【解決手段】第一、第二導線８，９が巻回された巻芯部３の軸方向一端側及び他端側に第一鍔部４及び第二鍔部５が接続されるドラムコア２と、第一鍔部４と第二鍔部５とに設けられて第一、第二導線８，９の一端と他端とが継線される第一、第二電極部６、７とを備え、第一鍔部４には、第一接続面４Ｂと、第一接続面４Ｂと交差する第一上面４Ａとが規定され、第一接続面４Ｂと第一上面４Ａとでそれぞれ両端が開口する第一溝部４１ａを有し、第一溝部４１ａは、第一上面４Ａにおいて第一接続面４Ｂと第一上面４Ａとの交差位置から離間するに従って先細りするように形成され、第一導線８の一端は、第一溝部４１ａ内に配置され第一上面４Ａにおいて第一溝部４１ａの先端近傍位置で第一電極部６に継線されるコイル部品１を提供する。【選択図】図１
2011119379.tif 000002
【特許請求の範囲】
【請求項１】
巻芯部と、該巻芯部の軸方向端部に接続される鍔部を有するドラムコアと、
該巻芯部に巻回され一端と他端とがそれぞれ該鍔部に延出される導線と、
該鍔部に設けられて該導線の該一端と該他端とがそれぞれ継線される第一電極部及び第二電極部と、を備え、
該鍔部には、該巻芯部の端部が接続される接続面と、該接続面と交差して接続され該第一電極部が設けられる第一平坦面及び該第二電極部が設けられる第二平坦面が規定されると共に、該接続面と該第一平坦面との交差位置を通過して該接続面と該第一平坦面とに開口する様に形成された第一溝部及び該接続面と該第二平坦面との交差位置を通過して該接続面と該第二平坦面とに開口する様に形成された第二溝部を有し、
該第一溝部は、少なくとも該第一平坦面において該接続面と該第一平坦面との交差位置から離間するに従って先細りするように形成され、
該第二溝部は、少なくとも該第二平坦面において該接続面と該第二平坦面との交差位置から離間するに従って先細りするように形成され、
該導線の一端は、該巻芯部から延出されて該第一溝部内に配置されると共に、該第一平坦面において該第一溝部の先端近傍位置で該第一電極部に継線され、
該導線の他端は、該巻芯部から延出されて該第二溝部内に配置されると共に、該第二平坦面において該第二溝部の先端近傍位置で該第二電極部に継線されていることを特徴とするコイル部品。
【請求項２】
該鍔部は、該巻芯部の軸方向一端側及び他端側にそれぞれ接続されると共にそれぞれ該第一平坦面及び該第二平坦面が規定される第一鍔部及び第二鍔部から構成され、
該第一電極部及び該第二電極部は、それぞれ該第一鍔部及び該第二鍔部に配置され、
該接続面は、該第一鍔部と該第二鍔部とにそれぞれ配置される第一接続面及び第二接続面を有し、該第一接続面には該巻芯部の一端が接続され、該第二接続面には該巻芯部の他端が接続され、
該第一溝部は該第一接続面と該第一平坦面とに亘って形成され、該第二溝部は該第二接続面と該第二平坦面とに亘って形成されていることを特徴とする請求項１に記載のコイル部品。
【請求項３】
該第一平坦面と該第二平坦面とは、同一平面上に配置されると共に基板に実装される実装面であることを特徴とする請求項１または請求項２のいずれかに記載のコイル部品。
【請求項４】
該第一溝部は、該接続面において該接続面と該第一平坦面との交差位置から離間するに従って先細りするように形成され、
該第二溝部は、該接続面において該接続面と該平坦面との交差位置から離間するに従って先細りするように形成され、
該第一溝部において該接続面側の先端は、該第一溝部の幅中心から該導線が該第一溝部内から該巻芯部へと引き回される方向に偏って位置し、
該第二溝部において該接続面側の先端は、該第二溝部の幅中心から該導線が該第二溝部内から該巻芯部へと引き回される方向に偏って位置していることを特徴とする請求項１から請求項３のいずれか一に記載のコイル部品。
【請求項５】
該第一電極部は、メッキにより形成されると共に該第一溝部の内面において該第一平坦面側の端部位置にも配置され、
該第二電極部は、メッキにより形成されると共に該第二溝部の内面において該第二平坦面側の端部位置にも配置されていることを特徴とする請求項１から請求項４のいずれか一に記載のコイル部品。
【発明の詳細な説明】
【技術分野】
【０００１】
本発明はコイル部品に関し、特に導線が継線される鍔部の構造に関する。
【背景技術】
【０００２】
従来から、コイル部品、例えばコモンモードフィルタにおいて、鍔部に端子電極を配置し、この端子電極に導線を圧着等により継線する構造が公知になっている。また特許文献１には、鍔部において溝を形成し、この溝内で導線を継線する構造が開示されている。
【先行技術文献】
【特許文献】
【０００３】
【特許文献１】特開２００５−１９７４７０号公報
【発明の概要】
【発明が解決しようとする課題】
【０００４】
鍔部の表面に端子電極を設けて導線を継線した場合には、鍔部の表面に配置された導線の径の分、コイル部品の上背が高くなる。導線が継線された面を実装面とした場合に、鍔部の表面に配置された導線が邪魔になって実装時の安定度が低下していた。また圧着により継線された場合に、導線の継線された部分（圧着により潰れた部分）と継線されていない部分（圧着されていない部分）との歪みの差が大きくなり、継線された部分と継線されていない部分との境界で導線が断線する等の継線不良が発生するおそれがあった。
【０００５】
特許文献１の様に溝内に導線を配置する構成を採ることにより、上述の問題は解消されるが、溝の深さがある分、圧着により継線する場合に導線に十分な圧を掛けられず、確実な継線が行われない場合があった。
【０００６】
よって本発明は、確実な継線を行うと共に、実装不良を低減したコイル部品を提供することを目的とする。
【課題を解決するための手段】
【０００７】
上記課題を解決するために本発明は、巻芯部と、巻芯部の軸方向端部に接続される鍔部を有するドラムコアと、巻芯部に巻回され一端と他端とがそれぞれ鍔部に延出される導線と、鍔部に設けられて導線の一端と他端とがそれぞれ継線される第一電極部及び第二電極部と、を備え、鍔部には、巻芯部の端部が接続される接続面と、接続面と交差して接続され第一電極部が設けられる第一平坦面及び第二電極部が設けられる第二平坦面が規定されると共に、接続面と第一平坦面との交差位置を通過して接続面と第一平坦面とに開口する様に形成された第一溝部及び接続面と第二平坦面との交差位置を通過して接続面と第二平坦面とに開口する様に形成された第二溝部を有し、第一溝部は、少なくとも第一平坦面において接続面と第一平坦面との交差位置から離間するに従って先細りするように形成され、第二溝部は、少なくとも第二平坦面において接続面と第二平坦面との交差位置から離間するに従って先細りするように形成され、導線の一端は、巻芯部から延出されて第一溝部内に配置されると共に、第一平坦面において第一溝部の先端近傍位置で第一電極部に継線され、導線の他端は、巻芯部から延出されて第二溝部内に配置されると共に、第二平坦面において第二溝部の先端近傍位置で第二電極部に継線されているコイル部品を提供する。
【０００８】
上記構成のコイル部品において、鍔部は、巻芯部の軸方向一端側及び他端側にそれぞれ接続されると共にそれぞれ第一平坦面及び第二平坦面が規定される第一鍔部及び第二鍔部から構成され、第一電極部及び第二電極部は、それぞれ第一鍔部及び第二鍔部に配置され、接続面は、第一鍔部と第二鍔部とにそれぞれ配置される第一接続面及び第二接続面を有し、第一接続面には巻芯部の一端が接続され、第二接続面には巻芯部の他端が接続され、第一溝部は第一接続面と第一平坦面とに亘って形成され、第二溝部は第二接続面と第二平坦面とに亘って形成されていてもよい。
【０００９】
これらの様な構成によると、導線を第一、第二溝部の第一、第二平坦面における先端部分に沿わせて第一、第二溝部内に配置することができるため、第一、第二平坦面における継線位置（第一、第二溝部の先端近傍位置）を正確に規定することができる。継線自体は第一、第二平坦面で行われるため、確実に継線されて固着強度を高めることができ、継線不良を抑制することができる。第一、第二平坦面上において継線箇所以外の導線は、第一、第二溝部内に配置されるため、継線されていない導線が、第一、第二平坦面から過度に突出することが抑制される。また第一、第二平坦面上において継線されていない導線は、第一、第二溝部に配置されるため、導線の継線部分が圧着により潰されたとしても、その潰れの程度を低減することができ、これにより断線を抑制することができる。
【００１０】
上記構成のコイル部品において、第一平坦面と第二平坦面とは、同一平面上に配置されると共に基板に実装される実装面であることが好ましい。
【００１１】
この様な構成によると、第一、第二平坦面から導線が過度に突出しないため、第一、第二平坦面を実装面としても安定してコイル部品を基板上に実装することができる。
【００１２】
また第一溝部は、接続面において接続面と第一平坦面との交差位置から離間するに従って先細りするように形成され、第二溝部は、接続面において接続面と第二平坦面との交差位置から離間するに従って先細りするように形成され、第一溝部において接続面側の先端は、第一溝部の幅中心から導線が第一溝部内から巻芯部へと引き回される方向に偏って位置し、第二溝部において接続面側の先端は、第二溝部の幅中心から導線が第二溝部内から巻芯部へと引き回される方向に偏って位置していることが好ましい。
【００１３】
この様な構成によると、例えば導線が巻芯部から第一溝部に引き回される方向と、第一溝部の接続面における開口の導線が掛けられる輪郭部分が延びる方向とを、９０°に近い角度で交差させるように構成することができる。よって第一溝部に導線を安定して掛止することができ、より確実に継線することができる。
【００１４】
また第一電極部は、メッキにより形成されると共に第一溝部の内面において第一平坦面側の端部位置にも配置され、第二電極部は、メッキにより形成されると共に第二溝部の内面において第二平坦面側の端部位置にも配置されていることが好ましい。
【００１５】
この様な構成によると、第一、第二溝部内においても、メッキ部分が溶融して導線を第一、第二電極部に継線することができ、より強固な継線構造を採ることができる。
【発明の効果】
【００１６】
本発明のコイル部品によれば、確実な継線を行うと共に、実装不良を低減することができる。
【図面の簡単な説明】
【００１７】
【図１】本発明の実施の形態に係るコイル部品の平面図。
【図２】本発明の実施の形態に係るコイル部品のドラムコアに係る平面図。
【図３】図２のIII−III線に沿った断面図。
【図４】図２のIV−IV線に沿った断面図。
【図５】本発明の実施の形態に係るコイル部品の側面図。
【発明を実施するための形態】
【００１８】
以下、本発明の実施の形態に係るコイル部品について、図１から図５に基づき説明する。図１に示されるコイル部品１は、高速差動信号伝送に用いられるコモンモードフィルタであり、ドラムコア２と、第一電極６、第二電極７と、第一導線８、第二導線９とを主に備え、第一導線８、第二導線９がバイファイラ巻きされてコイルを形成して構成されている。
【００１９】
ドラムコア２はフェライト等の磁性粉体が金型により成型された後に焼成されて製造されており、図２に示されるように、巻芯部３と、巻芯部３の軸方向一端側及び他端側にそれぞれ接続される第一鍔部４及び第二鍔部５とを主に備え、図３に示されるように、側面の輪郭が、巻芯部３と第一鍔部４及び第二鍔部５とにより略Ｈ形状を成すように構成されている。
【００２０】
巻芯部３は、表面３Ａを有すると共に、図４に示されるように軸方向と直交する断面が略長方形になるように構成されている。表面３Ａは、略長方形の四辺に位置する第一面、第二面、第三面、第四面に対応する上面３１、第一側面３２、下面３３、第二側面３４から構成されており、上面３１と下面３３とが互いに対向して略長方形の長辺を成し、第一側面３２と第二側面３４とが互いに対向して略長方形の短辺を成している。またそれぞれの面が他の面と接続される部分には、略長方形の四隅の角に対応する角部が形成されている。
【００２１】
また巻芯部３には、表面３Ａから巻芯部３の軸芯に向かって凹む凹部が複数形成され、凹部は、図２に示されるように第一側面３２において上面３１と接続される角部から下面３３（図３）と接続される角部に亘って一連に形成される溝状の複数の第一規制凹部３２ａと、第二側面３４において上面３１と接続される角部から下面３３と接続される角部に亘って一連に形成される溝状の複数の第二規制凹部３４ａとから構成されている。
【００２２】
第一規制凹部３２ａは、凹部形状の底を成す底面３２Ａと、底面３２Ａの軸方向一端側と表面３Ａとに接続される一端側斜面３２Ｂと、底面３２Ａの軸方向他端側と表面３Ａとに接続される他端側斜面３２Ｃとから画成されている。一端側斜面３２Ｂと他端側斜面３２Ｃとの、表面３Ａに対する角度はそれぞれ等しくなるように構成されている。第二規制凹部３４ａも第一規制凹部３２ａと同じ構成を採る底面３４Ａと一端側斜面３４Ｂと他端側斜面３４Ｃとから画成されており、第二規制凹部３４ａにおいて一端側斜面３４Ｂと他端側斜面３４Ｃとの、表面３Ａに対する角度はそれぞれ等しくなるように構成されている。
【００２３】
複数の第一規制凹部３２ａは、巻芯部３の一端側である第一鍔部４側から他端側である第二鍔部５側に向かって等間隔に三個が整列して配置されている。複数の第二規制凹部３４ａは、図２の平面図に示されるように配置された状態で、平面と平行に１８０°回転した位置に配置され、第一鍔部４側から他端側である第二鍔部５側に向かって等間隔に三個が整列して配置されている。
【００２４】
複数の第一規制凹部３２ａと複数の第二規制凹部３４ａとは、第一鍔部４から第二鍔部５に向かう方向において、第一規制凹部３２ａ、第二規制凹部３４ａ、第一規制凹部３２ａ・・・と交互になるように配置されており、隣り合う第一規制凹部３２ａ間の間隔と、隣り合う第二規制凹部３４ａ間の間隔とが同一になるように構成されている。また第一鍔部４から第一鍔部４に最も近接する第一規制凹部３２ａまでの距離と、第二鍔部５から第二鍔部５に最も近接する第二規制凹部３４ａまでの距離とは等しくなるように構成されている。よって巻芯部３は、図２の平面図に示されるように配置された状態で、平面と平行に１８０°回転しても同様の形状を採る対称形状に構成されている。
【００２５】
第一鍔部４と第二鍔部５とは、それぞれ同形状を採るため、代表として第一鍔部４について説明する。第一鍔部４は、略立方体に成型され、巻芯部３の上面３１と平行に形成された第一平坦面である第一上面４Ａと、第一上面４Ａに接続されると共に第一上面４Ａ及び巻芯部３の軸心と交差し巻芯部３に接続される第一接続面４Ｂと、巻芯部３の下面３３と平行に形成された第一下面４Ｃと、コイル部品２の長手方向（巻芯部３の軸方向）端面となる第一端面４Ｄとを有している。また第一鍔部４には、第一接続面４Ｂと第一上面４Ａとの交差位置を通過して第一接続面４Ｂと第一上面４Ａとに開口する二本の第一溝部４１ａ、４２ａが巻芯部３の軸方向と直交する方向に整列して形成されている。二本の第一溝部４１ａ、４２ａは、同一形状を成しているので第一溝部４１ａについて主に説明する。
【００２６】
第一溝部４１ａは、その延出方向と直交する断面が略Ｖ字溝状になるように穿設され、第一上面４Ａ及び第一接続面４Ｂにおける開口部分の輪郭が第一接続面４Ｂと第一上面４Ａとの交差位置から離間するに従って先細りして浅くなるように形成されている。よって図２及び図４に示されるように、第一上面４Ａ及び第一接続面４Ｂにおける第一溝部４１ａの開口部分の輪郭は、先端ほど先細りする略Ｖ字状を成している。また第一溝部４１ａの第一上面４Ａ側の輪郭における先端は、第一溝部４１ａの最大幅位置における幅中心と一致する位置に配置され、第一接続面４Ｂ側の輪郭における先端は、図１に示されるように、第一溝部４１ａの幅中心から第一導線８が第一溝部４１ａ内から巻芯部３へと引き回される方向（巻芯部３の軸方向と略直交する方向であって第一側面３２から第二側面３４に向かう方向）に偏って位置している。よって第一導線８が第一溝部４１ａ内から巻芯部３へと引き回される方向と、第一溝部４１ａの第一接続面４Ｂにおける開口の略Ｖ字状の輪郭部分において第二側面３４に近い辺部分が延びる方向とを、９０°に近い角度で交差させるように構成することができる。この第一接続面４Ｂにおける開口の略Ｖ字状の輪郭部分において第二側面３４に近い辺部分を後述の第一導線８が掛止される第一掛止部４１Ａと規定する。
【００２７】
第一溝部４２ａについても、同様に、第一上面４Ａ側の輪郭における先端が第一溝部４２ａの幅中心となる位置に配置され、第一接続面４Ｂ側の輪郭における先端が第一溝部４２ａの幅中心から第二導線９が第一溝部４２ａ内から巻芯部３へと引き回される方向に偏って位置しており、第一溝部４２ａの第一接続面４Ｂにおける開口の略Ｖ字状の輪郭部分において第二側面３４に近い辺部分に第一掛止部４２Ａが規定されている。
【００２８】
第二鍔部５も第一鍔部４と同様に、第二平坦面である第二上面５Ａと第二接続面５Ｂと第二下面５Ｃと第二端面５Ｄとを有しており、一対の第二溝部５１ａ、５２ａを備え、第二溝部５１ａ、５２ａにおいて第二接続面５Ｂ側の先端は、第一導線８、第二導線９が第二溝部５１ａ、５２ａ内からそれぞれ巻芯部３へと引き回される方向（巻芯部３の軸方向と略直交する方向であって第二側面３４から第一側面３２に向かう方向）に偏って位置しており、その第二接続面５Ｂにおける開口の輪郭部分に第二掛止部５１Ａ、５２Ａが規定されている。第一鍔部４及び第二鍔部５は同形状を採るため、ドラムコア２は、図２の平面図に示されるように配置された状態で平面と平行に１８０°回転しても同様の形状を成す対称形状を採る。また第一鍔部４及び第二鍔部５は、第一上面４Ａと第二上面５Ａとが同一平面上に配置され、第一下面４Ｃと第二下面５Ｃとが同一平面上に配置される様に構成されている。
【００２９】
第一電極６と第二電極７とはそれぞれ同形状を採るため、代表として第一電極６について説明する。第一電極６は図５に示されるように、一対の電極６Ａ、６Ｂがそれぞれ第一鍔部４において第一上面４Ａ、第一下面４Ｃに亘って一連に設けられて構成されており、これら一対の電極６Ａ、６Ｂは、それぞれ銀ペーストを塗布して焼き付けた後に銅、ニッケル及びスズのメッキを施すことにより形成されている。また図１に示されるように、電極６Ａの一部は、第一上面４Ａにおいて先端付近を含む第一溝部４１ａ内にも形成され、電極６Ｂの一部は、第一上面４Ａにおいて先端付近を含む第一溝部４２ａ内にも形成されている。第一電極６においては、第一上面４Ａ部分において、第一溝部４１ａ、４２ａ、の近傍位置がそれぞれ第一導線８、第二導線９との継線箇所になる。また第一溝部４１ａ、４２ａ内に第一電極６のメッキ部分が存在すると共に、第一上面４Ａの第一溝部４１ａ、４２ａ先端位置に第一電極６のメッキ部分が存在するため、継線時に第一溝部４１ａ、４２ａ内のメッキが溶融して第一導線８、第二導線９が継線されると共に第一上面４Ａにおけるメッキ部分が溶融し第一溝部４１ａ、４２ａ内に流れ込み、第一溝部４１ａ、４２ａ内における第一導線８、第二導線９の継線を補強することができる。第二電極７も第一電極６と同様に一対の電極７Ａ、７Ｂから構成されており、第二上面５Ａにおいて第一導線８、第二導線９が継線され、また第二溝部５１ａ、５２ａ内においても第一導線８、第二導線９が継線される。
【００３０】
第一導線８、第二導線９は、それぞれ芯線に絶縁被覆が施された被覆導線であり巻芯部３に巻回されてコイルを形成している。第一導線８、第二導線９の芯線の径及び絶縁被覆の厚さは略等しくなるように構成されている。図１に示されるように、第一導線８の一端及び他端は、第一接続面４Ｂ及び第二接続面５Ｂの第一掛止部４１Ａ及び第二掛止部５１Ａにそれぞれ掛けられて第一溝部４１ａ内及び第二溝部５１ａ内に配置され、第一溝部４１ａ及び第二溝部５１ａの第一上面４Ａ側及び第二上面５Ａ側の先端位置から第一上面４Ａ上及び第二上面５Ａ上に導かれ、第一上面４Ａ上及び第二上面５Ａ上の電極６Ａ及び電極７Ａにそれぞれ継線されて電気的に接続されている。第二導線９も第一導線８と同様に、一端及び他端が第一接続面４Ｂ及び第二接続面５Ｂの第一掛止部４２Ａ及び第二掛止部５２Ａにそれぞれ掛けられて第一溝部４２ａ内及び第二溝部５２ａ内に配置され、第一溝部４２ａ及び第二溝部５２ａの第一上面４Ａ側及び第二上面５Ａ側の先端位置から第一上面４Ａ上及び第二上面５Ａ上に導かれ、第一上面４Ａ上及び第二上面５Ａ上の電極６Ｂ及び電極７Ｂにそれぞれ継線されて電気的に接続されている。第一掛止部４１Ａ、４２Ａ及び第二掛止部５１Ａ、５２Ａは、上述のように第一導線８、第二導線９が第一溝部４１ａ等から巻芯部３に向かって延出される方向と９０°に近い角度で交差するように構成されているため、第一導線８及び第二導線９が第一掛止部４１Ａ、４２Ａ及び第二掛止部５１Ａ、５２Ａそれぞれ掛けられて第一溝部４１ａ、４２ａ、第二溝部５１ａ、５２ａに配線されることにより、第一溝部４１ａ等に第一導線８、第二導線９を安定して掛止することができる。
【００３１】
第一導線８と第二導線９との巻芯部３への巻回構成としては、図１に示されるように、第一電極６の電極６Ａと電極６Ｂとにそれぞれの端部を継線した状態で、この継線箇所から、第一導線８が第二導線９より常に第二鍔部５側に位置するように第一溝部４１ａ、４２ａから平行に引き出され、巻芯部３と第一鍔部４との接続部分において、第二側面３４上に引き回される。その後に図５に示されるように、下面３３に沿わされて第一側面３２側に延出されて図１及び図５に示されるように第一鍔部４に最も近接する第一規制凹部３２ａ内に配置され、上面３１側に引き回される。その後に上面３１から第二側面３４側に延出されて図１に示されるように第一鍔部４に最も近接する第二規制凹部３４ａ内に配置され、下面３３側に引き回される。この構成を繰り返し、第一導線８と第二導線９とを第二鍔部５に最も近接する第二規制凹部３４ａに配置した後に巻芯部３と第二鍔部５との接続部分となる第一側面３２から第二溝部５１ａ、５２ａに配置されて第二鍔部５の第二上面５Ａに位置する第二電極７へと引き出し、電極７Ａと電極７Ｂとにそれぞれ継線する。
【００３２】
第一導線８及び第二導線９は、第一規制凹部３２ａ内及び第二規制凹部３４ａ内で第一導線８が底面３２Ａ、３４Ａ内に位置するように配置されるため、第二導線９は底面３２Ａ、３４Ａよりも第一鍔部４側に位置する一端側斜面３２Ｂ、３４Ｂ上に配置される。一端側斜面３２Ｂ、３４Ｂは、第一導線８及び第二導線９が巻回される方向である第一鍔部４から第二鍔部５に向かう方向において、表面３Ａから底面３２Ａ、３４Ａに落ち込むように構成されている。よって第二導線９を一端側斜面３２Ｂ、３４Ｂ上に配置して巻締めながら巻回することにより、第二導線９は第二鍔部５側に移動して底面３２Ａ、３４Ａに落ち込み、底面３２Ａ、３４Ａに配置されている第一導線８と接触する。
【００３３】
上記構成のコイル部品１によると、第一上面４Ａ及び第二上面５Ａにおける第一溝部４１ａ、４２ａ、第二溝部５１ａ、５２ａの先端部分に沿わせて第一溝部４１ａ、４２ａ、第二溝部５１ａ、５２ａ内に第一導線８、第二導線９を配置することができるため、第一上面４Ａ及び第二上面５Ａにおける継線位置（第一溝部４１ａ、４２ａ、第二溝部５１ａ、５２ａの先端近傍位置）を正確に規定することができる。第一導線８、第二導線９の継線自体は第一上面４Ａ及び第二上面５Ａで行われるため、確実に継線されて固着強度を高めることができ、継線不良を抑制することができる。第一上面４Ａ上及び第二上面５Ａ上において継線箇所以外の第一導線８、第二導線９は、第一溝部４１ａ、４２ａ内、第二溝部５１ａ、５２ａ内にそれぞれ配置されるため、図５に示されるように継線されていない第一導線８、第二導線９が、第一上面４Ａ及び第二上面５Ａから過度に突出することが抑制される。第一上面４Ａ上及び第二上面５Ａ上において継線箇所は圧着によって潰されて薄くなるため、第一上面４Ａ上及び第二上面５Ａ上における第一導線８、第二導線９の継線箇所、及び継線されていない箇所のコプラナリティは極めて良好になる。
【００３４】
また第一上面４Ａ上及び第二上面５Ａ上において継線されていない第一導線８、第二導線９が第一溝部４１ａ、４２ａ内、第二溝部５１ａ、５２ａ内に配置されるため、第一導線８、第二導線９の継線部分が圧着により潰されたとしても、その潰れの程度を低減することができる。故に、継線されていない部分に対する継線部分の変形・歪みを低減して急激な厚み変化を抑制することができ、これにより断線を抑制することができる。
【００３５】
第一導線８、第二導線９における継線箇所は、第一溝部４１ａ、４２ａ、第二溝部５１ａ、５２ａの先端近傍位置であり、第一溝部４１ａ、４２ａ内、第二溝部５１ａ、５２ａ内の先端部分には、上述のように、第一電極６の一部及び第二電極７の一部が存在するため、第一溝部４１ａ、４２ａ内、第二溝部５１ａ、５２ａ内の先端位置でも第一導線８、第二導線９が第一電極６及び第二電極７に継線され、より強固な継線構造を採ることができる。
【００３６】
また第一上面４Ａ及び第二上面５Ａは、同一平面上に配置されており、第一導線８及び第二導線９が第一上面４Ａ及び第二上面５Ａから過度に突出することが抑制されているため、第一上面４Ａ及び第二上面５Ａをコイル部品１が基板に実装される実装面として使用しても、好適に実装することができる。
【００３７】
尚、本実施の形態では、巻芯部の両端にそれぞれ鍔部を備える構成について説明したが、これに限らず、巻芯部の一端のみに鍔部を設け、その鍔部に第一平坦面及び第二平坦面を規定する構成を採ってもよい。また導線の本数についても、複数本に限らず、単線の場合であっても本実施の形態と同様に構成することが可能である。
【符号の説明】
【００３８】
１・・コイル部品  ２・・ドラムコア  ３・・巻芯部  ３Ａ・・表面  ４・・第一鍔部
４Ａ・・第一上面  ４Ｂ・・第一接続面  ４Ｃ・・第一下面  ５・・第二鍔部
５Ａ・・第二上面  ５Ｂ・・第二接続面  ５Ｃ・・第二下面  ６・・第一電極
６Ａ・・電極  ６Ｂ・・電極  ７・・第二電極  ７Ａ・・電極  ７Ｂ・・電極
８・・第一導線  ９・・第二導線  ３１・・上面  ３２・・第一側面  ３２Ａ・・底面
３２Ｂ・・一端側斜面  ３２Ｃ・・他端側斜面  ３２ａ・・第一規制凹部
３２ａ・・・・・第一規制凹部  ３３・・下面  ３４・・第二側面  ３４Ａ・・底面
３４Ｂ・・一端側斜面  ３４Ｃ・・他端側斜面  ３４ａ・・第二規制凹部
４１Ａ、４２Ａ・・第一掛止部  ４１ａ、４２ａ・・第一溝部
５１Ａ、５２Ａ・・第二掛止部  ５１ａ、５２ａ・・第二溝部  
【図１】
2011119379.tif 000003
【図２】
2011119379.tif 000004
【図３】
2011119379.tif 000005
【図４】
2011119379.tif 000006
【図５】
2011119379.tif 000007